(57)【要約】【課題】動物の習性に対応して、その侵入を阻止する効果がきわめて大きく、構造が簡単で、堅牢で、設置が簡単であり、設置費用等のコストも低減可能な構造の動物侵入防護柵を実現する。【解決手段】エキスパンドメタルから成る壁面材２は、侵入しようとする動物のいる側である前面側に向けて傾斜して上方に起立されており、壁面材２の下部４は、壁面材の下端に向かうに従って前面側に弓なりに反り返るように湾曲部６が形成され、湾曲部６の下端側は底面部７として地面に這うようにして当接されており、底面部７はアンカー杭９で地面８に締着され、壁面材２の背面には水平な腹起こし材１０が当接されており、腹起こし材１０と底面部７との間は支持ロープ１４で緊結され、湾曲部６の形状が保持されている。【選択図】図２
2007043999.tif 000002
【特許請求の範囲】
【請求項１】
エキスパンドメタルから成る壁面材が地面上に傾斜して起立されて設置される動物侵入防護柵であって、
前記壁面材は、侵入しようとする動物のいる側である前面側に向けて傾斜して上方に起立されており、
前記壁面材の下部は、前記壁面材の下端に向かうに従って前面側に弓なりに反り返るように湾曲部が形成され、該湾曲部の下端側は底面部として地面に這うようにして当接されており、
前記底面部はアンカーで地面に締着され、
前記壁面材の背面には該壁面材の横幅方向に伸びる水平な腹起こし材が当接されており、
前記腹起こし材と前記底面部との間は支持ロープで緊結され、前記湾曲部の形状が保持されていることを特徴とする請求項１記載の動物侵入防護柵。
【請求項２】
前記支持ロープは、前記腹起こし材及び前記底面部に、それぞれＳ字状のフック材で取り付けられていることを特徴とする動物侵入防護柵。
【請求項３】
エキスパンドメタルから成る壁面材を地面上に傾斜し起立して設置する動物侵入防護柵の施工方法であって、
地面に前記壁面材の下端側を底面部として、侵入しようとする動物のいる側である前面側の地面に這うように当接して締着し、
前記壁面材の上端側を上方であって前面側に折返すことで、前記壁面材の下部に、前記壁面材の下端に向かうに従って前面側に弓なりに反り返るように湾曲部を形成し、  
前記壁面材の背面に、壁面材の横幅方向に伸びる水平な腹起こし材を当接し、該腹起こし材と前記壁面材の底面部とを支持ロープで緊結することを特徴とする動物侵入防護柵の施工方法。
【請求項４】
前記支持ロープは、前記腹起こし材及び前記底面部に、Ｓ字状のフック材で取り付けることを特徴とする請求項３記載の動物侵入防護柵の施工方法。
【発明の詳細な説明】
【技術分野】
【０００１】
本発明は、畑、果樹園、農村の住居地域、住宅地、市街地等へ野生の動物が侵入することを防止する動物侵入防護柵及びその施工方法に関する。
【背景技術】
【０００２】
近年、山間地等の環境破壊等に起因する食料不足のためか、従来、山間部に生息していた猪、鹿、猿、熊等の野生の動物が畑、果樹園、農村の住居地域、住宅地、市街地等へ食料を求めて進出し、畑を荒らし、農作物に被害を与えたり、場合によっては、人に危害を及ぼす等のことが問題となっている。
【０００３】
従来、これらの被害を防止するために、いろいろな手段が講じられているが、柵を設けるようなことは通常、行われている。例えば、格子状に形成されたフェンス部が支柱に支えられて形成された猪侵入防止柵は知られている（特許文献１参照）。
【０００４】
また、農耕地への野生動物等の侵入を阻止する防護柵として、エキスパンドメタルを利用した防護柵が知られている（特許文献２参照）。
【特許文献１】特開２００２−２３３２９３号公報
【特許文献２】特開２００１−１２８６１１号公報
【発明の開示】
【発明が解決しようとする課題】
【０００５】
上記特許文献１、２等の防護柵は、強固に構築されていても、野生動物は、それぞれその特徴を生かして防護柵を超えて侵入する可能性がある。例えば、猪はその突進力で防護柵を破壊したりし、また鹿は柵を飛び越えたりし、猿は柵を登り上ったりして、防護柵を突破して侵入してしまう。
【０００６】
本発明は、これらの動物の習性に対応して、その侵入を阻止する効果がきわめて大きく、構造が簡単で、堅牢で、設置が簡単であり、設置費用等のコストも低減可能な構造の動物侵入防護柵を実現することである。
【課題を解決するための手段】
【０００７】
本発明は上記課題を解決するために、エキスパンドメタルから成る壁面材が地面上に傾斜して起立されて設置される動物侵入防護柵であって、前記壁面材は、侵入しようとする動物のいる側である前面側に向けて傾斜して上方に起立されており、前記壁面材の下部は、前記壁面材の下端に向かうに従って前面側に弓なりに反り返るように湾曲部が形成され、該湾曲部の下端側は底面部として地面に這うようにして当接されており、前記底面部はアンカーで地面に締着され、前記壁面材の背面には該壁面材の横幅方向に伸びる水平な腹起こし材が当接されており、前記腹起こし材と前記底面部との間は支持ロープで緊結され、前記湾曲部の形状が保持されていることを特徴とする動物侵入防護柵を提供する。
【０００８】
前記動物侵入防護柵において、支持ロープは、前記腹起こし材及び前記底面部に、それぞれＳ字状のフック材で取り付けられている構成が好ましい。
【０００９】
本発明は上記課題を解決するために、エキスパンドメタルから成る壁面材を地面上に傾斜し起立して設置する動物侵入防護柵の施工方法であって、地面に前記壁面材の下端側を底面部として、侵入しようとする動物のいる側である前面側の地面に這うように当接して締着し、前記壁面材の上端側を上方であって前面側に折返すことで、前記壁面材の下部に、前記壁面材の下端に向かうに従って前面側に弓なりに反り返るように湾曲部を形成し、前記壁面材の背面に、壁面材の横幅方向に伸びる水平な腹起こし材を当接し、該腹起こし材と前記壁面材の底面部とを支持ロープで緊結することを特徴とする動物侵入防護柵の施工方法を提供する。
【００１０】
動物侵入防護柵の施工方法前記支持ロープは、前記腹起こし材及び前記底面部に、Ｓ字状のフック材で取り付けることが好ましい。
【発明の効果】
【００１１】
本発明に係る動物侵入防護柵は、次のような効果を有する。
（１）エキスパンドメタルから成る壁面材を、設置現場で、弓なりに曲げてから支持ロープを使ってその形状を維持するだけで設置でき、支柱も必要がないので、構造が簡単で、その設置工程も簡単で、コストも低減できる。
【００１２】
（２）壁面材の下部を弓なりに折り返されて湾曲部が形成されるので、剛性が付与され堅牢性を備え、しかもその湾曲部の曲線形状により美しさも兼ね備え、環境性を損なうことなく適合させることができる。
【００１３】
（３）そして、湾曲部の下端側の部分を地面に当接させて底面部を設けるから、壁面材の下端が地面内に潜り込む、いわゆる掘り起こしを防止することができ、動物侵入防護柵の構造的な安定性が維持できる。
【００１４】
（４）壁面材の下部が、下端に向かうに従って侵入しようとする動物いる前面側に弓なりに折り返されて湾曲部が形成されているから、動物が衝突しても壊れることなく、登りにくくなり、侵入阻止の効果が大きい。また、下部は湾曲部によりきわめて堅牢となるが、例えば、高さを高くすると、鹿等の飛び越えも防止でき、さらには、猿が頂部近くまで登って侵入しようとしても頂部が体重で前面側に撓んだり揺れたりして、猿への侵入阻止効果も大きい。
【発明を実施するための最良の形態】
【００１５】
本発明に係る動物侵入防護柵及びその施工方法の実施の形態を実施例に基づいて図面を参照して以下に説明する。
【００１６】
（実施例）
図１、２は、本発明に係る動物侵入防護柵及びその施工方法の１つの実施例を説明する図である。この実施例の動物侵入防護柵１は、その正面図を図１（ａ）に示すように、長方形の壁面材２を、１枚、或いは横幅方向に複数枚、互いに結束バンド３で連結し並設して構成されている。この壁面材２は、エキスパンドメタル（金属板を特殊な機械によって千鳥状に切れ目を入れると同時に押し拡げ、菱形あるいは亀甲形の網目状に加工した製品）から構成される。
【００１７】
本発明で利用するエキスパンドメタルの素材は、鋼材に亜鉛メッキして高耐食性の付与されたものが好ましい。例えば、新日本製鐵株式会社製のダイマジンク（登録商標名）のような高耐食性を有する素材を利用すると、耐久性に優れた動物侵入防護柵１が得られる。
【００１８】
本明細書では、動物侵入防護柵１に対して、これから侵入しようとする動物のいる側を前面側とし、畑等、動物の侵入を阻止する側を背面側とする。この動物侵入防護柵１を構成する壁面材２は、その断面図を図２（ａ）に示すように、下部４には、壁面材の下端５に向かうに従って前面側に弓なり反るようにして折返された湾曲部６が形成されている。この湾曲部６は、前面側（図２（ａ）で右側）に凹状で、背面側（図２（ａ）で左側）に向けて凸状に形成されている。
【００１９】
壁面材２の上部（壁面材２の湾曲部６より上の部分）は、ほぼ直線的に前面側且つ上方に向かうように、全体として傾斜して設置されている。
【００２０】
図２（ｂ）は、壁面材２の弓なりに反るように折り返された湾曲部６より下端側の部分（壁面材２の下端５から縦幅方向の所定の幅の部分であって、本明細書ではこの部分を「底面部」と言う。）を示す平面図であり、この底面部７は、地面８に這うように当接されている。
【００２１】
そして、壁面材２のうち、地面８に当接された底面部７の前端付近及び後端付近が、図１（ａ）及び図２（ｂ）に示すように、アンカー杭９によって、地面に締着されている。即ち、壁面材２は、アンカー杭９の頭部のフック９’（図１（ａ）参照）で係合され、アンカー杭９が地中に打ち込まれることで、地面８に締着されている。
【００２２】
湾曲部６より上方における壁面材２の背面には、横方向に伸びる水平に配置された腹起こし材１０が当接されている。この腹起こし材１０は、ほぼ外径２ｃｍの丸竹又はダンポール（ガラス繊維で強化された農業用ポール材：商標名）等の棒材が利用される。腹起こし材１０は、図１（ｂ）に示すように、ほぼＳ字状のフック材１１が嵌着されて取り付けられている。
【００２３】
このＳ字状のフック材１１は、当業者には一般的には「エスカン」（Ｓ字状の杆材）と呼ばれており、大きな直径の環状部１２と、小さな直径のほぼ環状のフック部１３とが一体となって構成されている。大きな環状部１２は腹起こし材１０に嵌着されており、小さな環状部１２は壁面材２の背面側から挿通し前面側に配置され、これに支持ロープ１４が挿通されている。支持ロープは、素材としてポリエチレンが使用されるが、支持ロープの代わりに鎖でもよい。         
【００２４】
支持ロープ１４は、図１（ｂ）、（ｃ）に示すように、腹起こし材１０に係合されたＳ字状のフック材１１のフック部１３に挿通されるとともに、地面８に当接された壁面材２の底面部７に係合されたＳ字状のフック材１１の環状部１７に挿通し、図１（ａ）に示すように、地面８と腹起こし材１０との間をジグザグ状に緊張状態をもって張設される。なお、支持ロープ１４の端部は、小さいＳ字状のフック材１５の環状部１７に結着されるか、地面８に打ち込まれたアンカー杭９のフック９’に 結着されている。
【００２５】
このようにして、腹起こし材１０と壁面材２の底面部７との間を支持ロープ１４で緊結することにより、支持ロープ１４の張力で腹起こし材１０を壁面材２に当接させ、さらに壁面材２を湾曲部６の弓なりの反りに起因する弾力に抗して、壁面材２の湾曲部６の湾曲状態及び上部の傾斜状態を維持することができる。
【００２６】
ところで、壁面材２の縦寸法は、壁面材２の高さｈをどのような寸法にするかによって決まる。この壁面材２の高さｈは、防護対象とする動物により異なる。例えば、猪の場合はほぼ１ｍ位であり、鹿の場合はほぼ２ｍ位であり、猿の場合は３〜４ｍ位が適切である。なお、動物侵入防護柵１の高さｈを高くする場合は、縦長の壁面材２を利用してもよいが、別の壁面材２を継ぎ足すようにするようにしてもよい。
【００２７】
壁面材２の横寸法は、適宜、決めればよいが、壁面材２の資材の搬送などの利便性を考慮すると、ほぼ１ｍ程度が好ましい。底面部７は、壁面材２の下端５が地中に突き入れて掘り起こしが生じることなく、地面８に安定的に当接する程度の長さであることが好ましい。例えば、底面部７は、壁面材２の下端５から壁面材２の縦幅方向に所定の幅として、４０ｃｍ程度とることが好ましい。又、壁面材２の地面８（水平面）に対する傾斜角度θは、例えば、６０°程度でよい。
【００２８】
（施工方法）
本発明の動物侵入防護柵１の施工方法を順次（１）〜（６）で説明する。
（１）壁面材２の下端側の部分を底面部７として地面８に這うよう当接させる。この底面部７は、壁面材２の下端５から壁面材２の縦幅方向に所定の幅（例えば、４０ｃｍ程度）を有する部分である。
【００２９】
（２）そして、図２（ｂ）に示すように、地面８に当接した底面部７の前端側の位置及び後端側の位置において、アンカー杭９を地面８に打ち込み、そのフック９’（図１（ａ）参照）を壁面材２に係合させて、底面部７を地面８に締着する。なお、この工程では、壁面材２の底面部７を地面８に締着する際、仮止め的にアンカー杭９で締着するだけでもよい。
【００３０】
（３）地面８に当接した壁面材２の底面部７に、小さいＳ字状のフック材１５のフック部１６を係合させて取り付けおく。そして、このフック材１５の環状部１７に支持ロープ１４を係合させておく。
【００３１】
（４）壁面材２の上部を前面側に折返す。この折返しにより、図２（ａ）に示すように、壁面材２の下部４に、壁面材２の下端５に向かうに従って前面側に弓なりに反り返るように湾曲部６（前面側に凹状で、背面側に凸状に形成されている湾曲部６）を形成するとともに、壁面材２の湾曲部６より上の部分（上部）を、前面側に向けて傾斜させ上方に起立させる。この結果、湾曲部６より下端側の部分は、壁面材２の底面部７として地面８に這うように当接し、アンカー杭９で地面に締着された状態となる。
【００３２】
（５）このように壁面材２の上部を前面側に折り返して傾斜して上方に起立した状態で、壁面材２の背面側から、腹起こし材１０を壁面材２に当接させるとともに、予め腹起こし材１０に嵌着しているＳ字状のフック材１１のフック部１３を壁面材２を通して前面側に挿通し、支持ロープ１４に係合させる。そして、支持ロープ１４の一端側で引っ張り張力を付与して、図２（ａ）に示すように、壁面材２の下部４の湾曲部６を維持する。
【００３３】
（６）必要に応じて、以上と同様にして横幅方向に隣接する別の壁面材２を設置し、互いに隣接する壁面材２を結束バンド３で締結する。このように複数の壁面材２を並設する場合は、支持ロープ１４は、複数の壁面材２を通して共通の支持ロープ１４で一括して張設することが好ましい。  
【００３４】
（作用）
上記構成から成る本発明の動物侵入防護柵１による作用を説明する。この動物侵入防護柵１は、壁面材２の下部４を湾曲状に反り返るように折り返し湾曲部６が形成されている。そして、壁面材２に背面側から当接する腹起こし材１０と底面部７を、大小のＳ字状のフック材１１、１５及び支持ロープ１４を介して、互いに引張られて緊結されているので、この湾曲部６（前面側に凹状で、背面側に凸状に形成されている湾曲部６）の湾曲形状が維持され、湾曲部６には剛性が付与される。
【００３５】
従って、例えば、猪がこの動物侵入防護柵１に前面側から突進してきてこの湾曲部６の凹状内面に衝突しても、湾曲部６は剛性が付与されており堅牢であるので、動物侵入防護柵１は壊されることがない。さらに、この弓なりに反り返った湾曲部６及び前面側への傾斜面によって、猪は動物侵入防護柵１に足をかけて登りにくく、侵入の障害となる。
【００３６】
前述のとおり、動物侵入防護柵１の高さｈは、鹿の場合はほぼ２ｍ位であるが、この程度の高さがあると、跳躍力のある鹿でも飛び越えることはできず、侵入を防止できる。
【００３７】
又、動物侵入防護柵１の高さｈは、猿の場合は３〜４ｍ位であるが、この程度の高さとすると、猿が動物侵入防護柵１を頂部付近まで登った場合、動物侵入防護柵１の頂部が猿の体重で前面側に撓んだり揺れたりして、猿にとっては気味悪くなり、完璧とは言えないが、侵入防止の効果が生じる。
【００３８】
以上、本発明に係る動物侵入防護柵及びその施工方法の実施形態を実施例に基づいて説明したが、本発明は特にこのような実施例に限定されることなく、特許請求の範囲記載の技術的事項の範囲内でいろいろな実施例があることはいうまでもない。
【産業上の利用可能性】
【００３９】
以上の構成から成る本発明に係る動物侵入防護柵は、簡単な構造でその施工も簡単であるが、きわめて堅牢であり、さらに環境を損なうようなこともないから、畑、果樹園、農村の住居地域、住宅地、市街地等へ野生の動物が侵入することを防止する動物侵入防護柵への適用はもとより、家畜用の檻、動物園用の檻等にも適用可能である。
【図面の簡単な説明】
【００４０】
【図１】本発明に係る動物侵入防護柵の構造を説明する図であり、（ａ）は正面図であり、（ｂ）、（ｃ）は支持ロープの取り付け構造を説明する図である。
【図２】本発明に係る動物侵入防護柵の構造を説明する図であり、（ａ）は側面図であり、（ｂ）は壁面材の底面部の平面図である。
【符号の説明】
【００４１】
１  動物侵入防護柵                         
２  壁面材                                 
３  結束バンド                             
４  壁面材の下部                           
５  壁面材の下端                           
６  壁面材の湾曲部                         
７  底面部                                 
８  地面                                   
９  アンカー杭
９’  アンカー杭の頭部のフック                           
１０  腹起こし材             
１１  Ｓ字状のフック材                     
１２  フック材の環状部                     
１３  フック材のフック部                   
１４  支持ロープ                           
１５  小さいＳ字状のフック材               
１６  小さいＳ字状のフック材のフック部     
１７  小さいＳ字状のフック材の環状部       
ｈ  壁面材の高さ
θ  壁面材の地面に対する傾斜角度
【図１】
2007043999.tif 000003
【図２】
2007043999.tif 000004